(57)【要約】【課題】  平面鏡で顔を見る場合には凹面鏡が目に入らず、また凹面鏡で顔を見る場合にも平面鏡が目に入らないようにし、その見ようとする鏡で顔を見易くした携帯用卓上鏡を提供する。さらに、折り畳んだ状態から立てた状態に、また立てた状態から折り畳んだ状態に簡単にすることができ、非常に使用し易く、携帯に便利な携帯用卓上鏡を提供する。【解決手段】  ２つ折りに折り畳み自在とした本体１の上側体１ａの開放端に第１の鏡面部２および第２の鏡面部３をそれぞれ回動自在に取り付け、前記本体１の下側体１ｂの開放端寄りの内面に前記第２の鏡面部３の端縁の停止手段４を設けた。そして、前記第１の鏡面部２に平面鏡２ａを設け、第２の鏡面部３に凹面鏡３ａを設けた。さらに、前記本体１の上側体１ａまたは下側体１ｂの一方の開放端に止めバンド７を設け、他方の開放端寄りに前記止めバンド７の止め具８を設けた。【選択図面】    図５
2006043119.tif 000002
【特許請求の範囲】
【請求項１】
２つ折りに折り畳み自在とした本体（１）の上側体（１ａ）の開放端に第１の鏡面部（２）および第２の鏡面部（３）をそれぞれ回動自在に取り付け、前記本体（１）の下側体（１ｂ）の開放端寄りの内面に前記第２の鏡面部（３）の端縁の停止手段（４）を設けたことを特徴とする携帯用卓上鏡。
【請求項２】
前記第１の鏡面部（２）に平面鏡（２ａ）を設け、第２の鏡面部（３）に凹面鏡（３ａ）を設けたことを特徴とする請求項１記載の携帯用卓上鏡。
【請求項３】
前記本体（１）の上側体（１ａ）または下側体（１ｂ）の一方の開放端に止めバンド（７）を設け、他方の開放端寄りに前記止めバンド（７）の止め具（８）を設けたことを特徴とする請求項１記載の携帯用卓上鏡。
【発明の詳細な説明】
【技術分野】
【０００１】
この発明は、例えば平面鏡と凹面鏡というように、鏡面形状の異なる鏡面部を備えた携帯用卓上鏡に関するものである。
【背景技術】
【０００２】
従来、この種の鏡としては、例えば図７、８に示したように、上面に化粧料収容凹部１１ａが形成された容器本体１１と、この容器本体１１の上面を蓋する蓋体１２を備え、上記蓋体１２の下面に、平面鏡１３とともに凹面鏡１４を取り付けたコンパクトが存在する（特許文献１）。
【０００３】
このように構成されたコンパクトは、姿勢をあまり動かすことなく、平面鏡１３で顔の全体等広い部分を見るようにし、細かい部分を凹面鏡１４で拡大して見ることができるため、丁寧で、きめの細かい化粧をすることができるものとしている。
【０００４】
さらに、この種の鏡としては、例えば図９、１０に示したように、平面鏡２１ａ、凹球面鏡２２ａや凹側面鏡２３ａを有する第１の鏡面部２１、第２の鏡面部２２および第３の鏡面部２３を互いにヒンジ部材２４、２５により回動可能に連結した携帯用手鏡装置が存在する（特許文献２）。
【０００５】
このように構成された携帯用手鏡装置は、平面鏡２１ａ、凹球面鏡２２ａや凹側面鏡２３ａの各機能に応じた像の把握が可能になり、所望に応じて対掌的な像や他人が見たと同様な正像を把握できて至便である。そして、不使用時には、これら第１の鏡面部２１、第２の鏡面部２２および第３の鏡面部２３を積層状態に折り畳むことにより、従来どおりのコンパクト性を保持できるものとしている。
【特許文献１】特開平８−３１７８１５号公報（第２頁、図１、２）
【特許文献２】登録実用新案第３０５９７２３号公報（第２頁、図１、２）
【発明の開示】
【発明が解決しようとする課題】
【０００６】
しかしながら、従来のコンパクトでは、平面鏡１３と凹面鏡１４とを蓋体１２の同一面に設けているので、平面鏡１３で顔を見る場合には凹面鏡１４に写った顔が目に入り、また凹面鏡１４で顔を見る場合にも平面鏡１３に写った顔が目に入ってしまい、これが邪魔になって顔が見難くなるという問題点を有していた。
【０００７】
さらに、従来の携帯用手鏡装置では、平面鏡２１ａ、凹球面鏡２２ａおよび凹側面鏡２３ａを同一面には設けていないものの隣り合わせに設けているので、前記従来のコンパクトと同様に、平面鏡２１ａで顔を見る場合には凹球面鏡２２ａや凹側面鏡２３ａに写った顔が目に入り、また凹球面鏡２２ａや凹側面鏡２３ａで顔を見る場合にも他の鏡面に写った顔が目に入ってしまい、これが邪魔になって顔が見難くなるとい問題点を有していた。また、この従来の携帯用手鏡装置では、不使用時に第１の鏡面部２１、第２の鏡面部２２および第３の鏡面部２３を積層状態に折り畳むことができるが、その折り畳む順序が第１の鏡面部２１から折り畳むのか、第３の鏡面部２３から折り畳むのか迷うことがあり、これを間違うと積層状態に折り畳むことができなくなるという問題点を有していた。
【０００８】
そこで、この発明は、上記従来の問題点を解決することをその課題としており、平面鏡で顔を見る場合には凹面鏡が目に入らず、また凹面鏡で顔を見る場合にも平面鏡が目に入らないようにし、その見ようとする鏡で顔を見易くした携帯用卓上鏡を提供することを目的としてなされたものである。
【０００９】
さらに、この発明は、折り畳んだ状態から立てた状態に、また立てた状態から折り畳んだ状態に簡単にすることができ、非常に使用し易く、携帯に便利な携帯用卓上鏡を提供することを目的としてなされたものである。
【課題を解決するための手段】
【００１０】
そのため、この発明の携帯用卓上鏡は、２つ折りに折り畳み自在とした本体１の上側体１ａの開放端に第１の鏡面部２および第２の鏡面部３をそれぞれ回動自在に取り付け、前記本体１の下側体１ｂの開放端寄りの内面に前記第２の鏡面部３の端縁の停止手段４を設けたものとしている。
【００１１】
そして、この発明の携帯用卓上鏡は、前記第１の鏡面部２に平面鏡２ａを設け、第２の鏡面部３に凹面鏡３ａを設けたものとしている。
【００１２】
さらに、この発明の携帯用卓上鏡は、前記本体１の上側体１ａまたは下側体１ｂの一方の開放端に止めバンド７を設け、他方の開放端寄りに前記止めバンド７の止め具８を設けたものとしている。
【発明の効果】
【００１３】
この発明の携帯用卓上鏡は、以上に述べたように構成されているので、本体１の上側体１ａを回動操作して開き、上側体１ａの開放端で第１の鏡面部２および第２の鏡面部３をそれぞれ開く方向に回動操作し、第２の鏡面部３の端縁を停止手段４に当てて停止させることにより、第１の鏡面部２および第２の鏡面部３の平面鏡２ａまたは凹面鏡３ａの一方のみが表側に露出し、またその表側に露出した平面鏡２ａまたは凹面鏡３ａの一方を回動操作して裏へ返せば、平面鏡２ａまたは凹面鏡３ａの他方のみが表側に露出するので、平面鏡２ａで顔を見る場合には凹面鏡３ａが目に入らず、また凹面鏡３ａで顔を見る場合にも平面鏡２ａが目に入らないようにし、その見ようとする鏡で顔が見難くならないものとなる。
【００１４】
さらに、この発明の携帯用卓上鏡は、前記したように本体１の上側体１ａを回動操作して開き、上側体１ａの開放端で第１の鏡面部２および第２の鏡面部３をそれぞれ開く方向に回動操作し、第２の鏡面部３の端縁を停止手段４に当てて停止させることにより、折り畳んだ状態から立てた状態に簡単にすることができ、また前記第２の鏡面部３の端縁を停止手段４から外して、これらを閉まる方向に回動操作することにより、立てた状態から折り畳んだ状態に簡単にすることができるので、非常に使用し易く、携帯に便利なものとなる。
【発明を実施するための最良の形態】
【００１５】
以下、この発明の携帯用卓上鏡を実施するための最良の形態を、図面に基づいて詳細に説明する。
【００１６】
この発明の携帯用卓上鏡は、図１〜図６に示したように、折り返し部Ａを介して、二つ折りに折り畳み自在とした本体１の上側体１ａの開放端に第１の鏡面部２および第２の鏡面部３をそれぞれ回動自在に取り付け、前記本体１の下側体１ｂの開放端寄りの内面に停止手段４を設けたものとしている。
【００１７】
前記本体１の上側体１ａおよび下側体１ｂは、図２に示したように、厚紙などの保形材５の表裏に、布地などの生地ｍを被覆したものとしているが、合成樹脂の一体成形品などとしてもよい。また、前記本体１の上側体１ａまたは下側体１ｂの一方の開放端に止めバンド７を設け、他方の開放端寄りに前記止めバンド７の止め具８を設けたものとし、携帯時や保管時には、止めバンド７を止め具８に止めて、上側体１ａと下側体１ｂとが開放しないようにしている。なお、図示した止め具８は、止めバンド７の先端部に設けたスナップ７ａと止着するようにしたボタン８ａとしているが、止めバンド７の先端部に設けた一方の面ファスナー（図示せず）と止着するようにした他方の面ファスナー（図示せず）としたり、止めバンド７の先端部を通して止めておくようにしたバンド止め（図示せず）などとしてもよい。
【００１８】
前記折り返し部Ａは、図示したものでは、上側体１ａおよび下側体１ｂを接続している生地ｍに折り目線ａを付けたものとして折り返し易くしているが、本体１の上側体１ａおよび下側体１ｂを合成樹脂の一体成形品とした場合には、上側体１ａおよび下側体１ｂを接続する薄肉部（図示せず）としてもよく、また上側体１ａおよび下側体１ｂ間にヒンジ（図示せず）を取り付けるなどして折り返し可能なものとしてもよい。
【００１９】
前記停止手段４は、本体１の下側体１ｂの開放端寄りの内面に、その開放端と平行に設けた直線状の段差部４ａとしている。この段差部４ａは、図示したものでは、生地ｍを重ねたものとして形成しているが、下側体１ｂを合成樹脂の一体成形品とした場合には、成形時にこの段差部４ａを一体的に形成すればよく、第２の鏡面部３の端縁が引っ掛かって止まるようにしている。要するに、前記停止手段４は、第２の鏡面部３の端縁が引っ掛かって止まるようにしたものであればよい。
【００２０】
前記第１の鏡面部２は、図示したものでは平面鏡２ａを設けたものとしており、第２の鏡面部３は、図示したものでは凹面鏡３ａを設けたものとしており、上側体１ａの開放端に、第１の鏡面部２を第２の鏡面部３の外側になるようにして、それぞれ回動自在に取り付けたものとしている。さらに、前記平面鏡２ａおよび凹面鏡３ａの周囲には、保護部材９を設けたものとしている。この保護部材９は、図示したものでは、平面鏡２ａおよび凹面鏡３ａの上面周囲と下面全域に厚紙などの保護材を敷くと共に、この保護材を生地ｍで覆ったものとしている。すなわち、図示したものでは、前記平面鏡２ａの上面周囲は四角形になるように保護部材９で形取ったものとし、凹面鏡３ａの周囲は円形になるように保護部材９で形取ったものとしている。さらに、前記保護部材９は、合成樹脂の薄板などとし、この薄板の表面に四角形または円形の嵌合部を形成し、四角形の嵌合部に合致する四角形の平面鏡２ａをその嵌合部に嵌め込み、円形の嵌合部に合致する円形の凹面鏡３ａをその嵌合部に嵌め込んだものとしてもよい。このようにすれば、四角形が平面鏡２ａ、円形が凹面鏡３ａというように区別をつけることができ、使用時にその選択に迷うことがない。
【００２１】
なお、この発明の携帯用卓上鏡は、本体１の上側体１ａの開放端に、第１の鏡面部２を第２の鏡面部３の外側になるように設けたものとしているが、第２の鏡面部３を第１の鏡面部２の外側になるように設けたものとしてもよい。また、前記平面鏡２ａを円形にし、凹面鏡３ａを四角形にしてもよいのは言うまでもない。
【００２２】
次に、この発明の携帯用卓上鏡の使用方法について、図面に基づいて詳細に説明する。
【００２３】
先ず、この発明の携帯用卓上鏡は、図１、２に示したような折り畳んだ状態から、止めバンド７を止め具８から外し、上側体１ａの開放端を一方の手で持って、図３に示したように、この上側体１ａを折り返し部Ａを中心に回動操作して開き、他方の手で第１の鏡面部２および第２の鏡面部３を上側体１ａの開放端を中心に回動操作して、図４に示したように、第２の鏡面部３の端縁を停止手段４に当てて停止させる。このようにすることにより、この発明の携帯用卓上鏡は、折り畳んだ状態から立てた状態に簡単にすることができる。また、図４に示した状態では、第２の鏡面部３が第１の鏡面部２の下になり、第１の鏡面部２の平面鏡２ａが表側に露出しているので、使用者はこの平面鏡２ａのみが目に入り、第２の鏡面部３の凹面鏡３ａは目に入らないので、その平面鏡２ａが見易いものとなる。
【００２４】
そして、この発明の携帯用卓上鏡は、図４に示した状態から、第１の鏡面部２の端縁を手で持って、図５に示したように、上側体１ａの開放端を中心に回動操作して、この第１の鏡面部２を上側体１ａの方に引っ繰り返せば、図６に示したように、第２の鏡面部３の凹面鏡３ａが表側に露出することになる。この状態では、第１の鏡面部２の平面鏡２ａが上側体１ａに重なり合って隠れているので、その平面鏡２ａは目に入らず、第２の鏡面部３の凹面鏡３ａのみが目に入り、その凹面鏡３ａが見易いものとなる。
【００２５】
さらに、この発明の携帯用卓上鏡は、図６に示した状態から、第１の鏡面部２の平面鏡２ａを再び見たい場合には、第１の鏡面部２の端縁を手で持って、図５に示したように、上側体１ａの開放端を中心に回動操作して、この第１の鏡面部２を第２の鏡面部３の方に引っ繰り返せば、図４に示した状態に戻るので、第１の鏡面部２の平面鏡２ａを見ることができる。この場合、第１の鏡面部２の端縁は停止手段４に当たっておらず自由な状態であるので、この第１の鏡面部２は、上側体１ａの開放端を中心に、前記したように上側体１ａの方に引っ繰り返したり、第２の鏡面部３の方に引っ繰り返したりするのが、簡単に行えることになる。
【００２６】
また、この発明の携帯用卓上鏡は、図４に示した状態から、第２の鏡面部３の端縁を停止手段４から外して、第１の鏡面部２と第２の鏡面部３を、上側体１ａの開放端を中心に閉まる方向に回動操作することにより、立てた状態から折り畳んだ状態に簡単にすることができる。
【図面の簡単な説明】
【００２７】
【図１】この発明の携帯用卓上鏡の一実施形態を示しており、折り畳んだ状態を示す斜視図である。
【図２】この発明の携帯用卓上鏡の中央断面図である。
【図３】この発明の携帯用卓上鏡の使用状態を示す説明図である。
【図４】この発明の携帯用卓上鏡の使用状態を示す説明図である。
【図５】この発明の携帯用卓上鏡の使用状態を示す説明図である。
【図６】この発明の携帯用卓上鏡の使用状態を示す説明図である。
【図７】従来のコンパクトの平面図である。
【図８】従来のコンパクトの開蓋状態を示す側面図である。
【図９】従来の携帯用手鏡装置の使用位置を示す開放状態の斜視図である。
【図１０】第１の鏡面を使用する時の従来の携帯用手鏡装置の斜視図である。
【符号の説明】
【００２８】
１  本体
１ａ  上側体
１ｂ  下側体
２  第１の鏡面部
２ａ  平面鏡
３  第２の鏡面部
３ａ  凹面鏡
４  停止手段
７  止めバンド
８  止め具
【図１】
2006043119.tif 000003
【図２】
2006043119.tif 000004
【図３】
2006043119.tif 000005
【図４】
2006043119.tif 000006
【図５】
2006043119.tif 000007
【図６】
2006043119.tif 000008
【図７】
2006043119.tif 000009
【図８】
2006043119.tif 000010
【図９】
2006043119.tif 000011
【図１０】
2006043119.tif 000012